(57)【要約】【課題】突っ張り支柱を短縮不能状態のままで短縮する方向に力を加えれば短縮不能手段である爪の先端が圧接している内壁に更に食い込んでしまい、突っ張り支柱を短縮可能な状態にすることが困難になるのを防止する。【解決手段】誤った方向に負荷が掛かっても必要以上に短縮不能手段の爪が支柱の内壁に食い込むことがなく容易に短縮可能な状態にできるようにするためのストッパとして、スライド止め金具の摘み部が中キャップの外周面に接触して短縮不能手段であるスライド止め金具がそれ以上揺動しないようにする。【選択図】図２
0003136124.tif 000002
【実用新案登録請求の範囲】
【請求項１】
中空の外支柱と外支柱内にスライド可能に抜き差しする内支柱とで構成して全長を伸縮可能にすると共に、任意の長さを維持できるように外支柱に対する内支柱のスライド挿入を不能にする短縮不能手段を外支柱の上端に設けて、また前記短縮不能手段に影響を受けることなく全長を微調整するためのアジャスターを外支柱の下端に設けた突っ張り支柱において、内支柱は全長に亘る深溝を有し、外支柱は全長に亘る浅溝を有し、内支柱を外支柱内に挿入することにより前記両溝が重なり合うよう構成し、両溝の底面間に形成された空隙にスライド止め金具の一部分を挿入して前記短縮不能手段とし、前記スライド止め金具は、内支柱の深溝底面に臨む爪部を有する作用部が前記両溝底面間の空隙に挿入され、摘み部が外支柱の浅溝底面に形成された角孔から外部に露出した状態で配置され、前記作用部と摘み部の中間部を支点にして垂直面内で揺動することにより爪部が内支柱の深溝底面に対して離間または圧接し、前記圧接状態が短縮不能状態でありこの状態において更に突っ張り支柱に短縮方向の負荷が加わっても爪部先端が内支柱の深溝底面に対してそれ以上食い込むことがないようスライド止め金具の揺動を止めるストッパを有することを特長とする突っ張り支柱。
【請求項２】
外支柱の上端にスライド止め金具の外れ止めと内支柱のスライド案内を兼ねた中キャップを装着し、突っ張り支柱の短縮不能状態においてスライド止め金具の摘み部が前記中キャップの外周に接触するよう構成して前記ストッパとしたことを特長とする請求項１記載の突っ張り支柱。
【考案の詳細な説明】
【技術分野】
【０００１】
本考案は、内外の支柱を互いに挿し合わせスライドさせることにより全長を伸縮して上下の壁面間に合わせてから全長が短縮しないようにした後に上下方向に突っ張って固定する突っ張り支柱に関するものであり、通常この支柱は左右一対に配置して、その支柱間に棚板を掛け渡して小物等を置くのに使用するものである。
【背景技術】
【０００２】
出願人は特願平１０−３５３３２９の発明において支柱の全長を無段階に伸縮して任意の長さで短縮不能にして固定できる突っ張り支柱の出願をした。
【０００３】
しかし、一度短縮不能状態にすると、再度長さを調整する際に短縮可能状態にしづらいという欠点があった。前記発明の突っ張り支柱は垂直状態において全長を伸ばす方向には動くが逆方向では自動的に短縮不能になってしまい、使用者が長さを元に戻そうと誤って短縮不能状態のままで強く押し縮めると固く食い込んでしまい手作業で解除することがむずかしくなるという問題があった。
【特許文献１】特許第３１５４４７５号公報
【考案の開示】
【考案が解決しようとする課題】
【０００４】
解決しようとする問題点は、短縮不能状態のままで突っ張り支柱を短縮する方向に圧力を掛ければ短縮不能手段の爪が支柱の内壁に食い込んでしまい短縮可能状態にすることが困難になる点である。
【課題を解決するための手段】
【０００５】
本考案は、誤った方向に負荷が掛かっても必要以上に短縮不能手段の爪が支柱の内壁に食い込むことがなく短縮可能にすることが容易にできるようストッパを設けることを最も主要な特長とする。
【考案の効果】
【０００６】
本考案の突っ張り支柱は、全長の調整が容易なうえに確実に固定でき、しかも取付位置や傾きの修正のため取り外すことが容易に出来るという利点がある。
【実施例１】
【０００７】
図１は、上下壁面Ａ、Ｂ間に突っ張り固定した本考案の突っ張り支柱１、１にスノコ状の棚板Ｃ、Ｃを２段に掛け渡して小物を置くようにしたものである。突っ張り支柱１には棚板Ｃの背面部左右に形成されている鉤部を係合する長孔が所定間隔で設けられ棚板Ｃの位置は自由に変更できる。
【０００８】
図２は、突っ張り支柱１を分解した状態を示した斜視図であり、図３は、前図の各部材を組み合わせた状態で一部分の断面を示した斜視図である。
【０００９】
突っ張り支柱１は、外支柱１１とその外支柱１１内にスライド可能に抜き差しする内支柱１２とで構成され全長を伸縮することができる。外支柱１１は全長に亘る浅溝１１ａが、内支柱１２は全長に亘る深溝１２ａが形成されている。
【００１０】
外支柱１１の上端寄りに形成された角孔１１ｂと、その角孔１１ｂに一部分を挿入するスライド止め金具２と、外支柱１１の上端にかぶせて前記内支柱１２の案内とスライド止め金具２の外れ止めを兼ねる中キャップ３で突っ張り支柱の短縮不能手段４を構成する。
【００１１】
図４は縦断面図である。外支柱１１の下端には上記短縮不能手段４に影響を受けることなく突っ張り支柱１の全長を伸縮微調整することができるネジ構造のアジャスター５を設けている。突っ張り支柱１の全長を伸縮して上下壁面Ａ，Ｂ間に合わせてから短縮不能にした後に前記アジャスター５で更に全長を伸ばすことにより内支柱１２の上端に取り付けた上部支持部６内のスプリングを圧縮状態にして、突っ張り支柱１を上下壁面Ａ，Ｂ間に固定する。
【００１２】
図５は短縮不能手段４部分の水平断面図である。内支柱１２の断面形状は幅が広い１段目と幅が狭い２段目の２段状の深溝１２ａが形成され、外支柱１１の断面形状は前記内支柱１２の幅が広い１段目に納まる浅溝１１ａが形成されている。
【００１３】
外支柱１１内に内支柱１２を挿入することにより浅溝底面１１ｂと深溝底面１２ｂの間に空隙１２ｃが形成され、浅溝底面１１ｂにあけられた角孔１１ｃからスライド止め金具２の作用部を前記空隙１２ｃに入れて外支柱１１の上端に中キャップ３を被せてスライド止め金具２の外れを防止する。
【００１４】
図６は短縮不能手段４部分の縦断面図で突っ張り支柱の短縮不能状態を示している。図７は同じく短縮不能手段４部分を拡大した縦断面図で突っ張り支柱の短縮可能状態を示している。
【００１５】
スライド止め金具２は、深溝底面１２ｂに臨む爪部２ｂを有する作用部２ａが溝底面間の空隙１２ｃに挿入されており、前記爪部２ｂの上部で上向きに形成した突出部２ｄが中キャップ３の内周面に当たることでスライド止め金具２が支柱から外れ落ちるのを防止している。また浅溝底面１１ｂに形成された角孔１１ｃから外部に露出した摘み部２ｃは前記突出部２ｄと同方向に突出部２ｄより長く形成されて使用者が指で操作しやすいように柔軟部材Ｅで被覆されている。さらに作用部２ａと摘み部２ｃの中間部の下端には前記角孔１１ｃの下端縁１１ｄに係合する凹部２ｅが形成されている。
【００１６】
図６におけるスライド止め金具２は、凹部２ｅを中心に図面上反時計回りに揺動したことにより爪部２ｂ先端が深溝底面１２ｂに圧接した状態であり、すなわち内支柱１２は外支柱１１に対してそれ以上差し込むことのできないために突っ張り支柱の短縮が不能な状態である。
【００１７】
この状態においてスライド止め金具２は、摘み部２ｃが中キャップ３の外周面に接触してそれ以上反時計回りに揺動できないため、突っ張り支柱を短縮させようとして内支柱１２を外支柱１１内に更に深く差し込むような無理な負荷が加わっても爪部２ｂ先端が深溝底面１２ｂに必要以上に食い込むことがない。
【００１８】
そのため短縮不能を解除しようとスライド止め金具２の摘み部２ｃを指で摘まんで動かすか、または内支柱１２を外支柱１１に対して引き抜く方向に力を加えるとスライド止め金具２が時計回りに揺動して爪部２ｂを深溝底面１２ｂから容易に離間させることができ、突っ張り支柱の短縮不能が解除できて全長を伸ばすことができる。
【００１９】
また摘み部２ｃに品物や手が触れて不用意に短縮不能が解除されることが無いように中キャップ３の上端から横向きに張り出した張出し部３ａが摘み部２ｃの上方を覆うように形成されている。
【００２０】
図７におけるスライド止め金具２は、凹部２ｅを中心に図面上時計回りに揺動したことにより爪部２ｂ先端が深溝底面１２ｂから離間した状態であり、すなわち内支柱１２が外支柱１１に対して自由に抜き差しできるために突っ張り支柱の伸縮が可能な状態である。
【００２１】
この状態でスライド止め金具２の突出部２ｄが中キャップ３の内周面に当っているのでスライド止め金具２が内外支柱から抜け落ちることがない。
【産業上の利用可能性】
【００２２】
左右壁間に水平に掛け渡して突っ張ることにより固定し、物干し棒やカーテン用ポールとしても利用できる。
【図面の簡単な説明】
【００２３】
【図１】本考案の突っ張り支柱２本を使用した使用例の斜視図である。
【図２】突っ張り支柱を分解して示した斜視図である。
【図３】図２の各部材を組み合わせた状態で一部分の断面を示した斜視図である。
【図４】突っ張り支柱の一部を省略した縦断面図である。
【図５】短縮不能手段部分の水平断面図である。
【図６】突っ張り支柱の短縮不能状態の要部を拡大した縦断面図である。
【図７】突っ張り支柱の短縮可能状態の要部を拡大した縦断面図である。
【符号の説明】
【００２４】
１      突っ張り支柱
１１    外支柱
１１ａ  浅溝
１１ｂ  浅溝底面
１１ｃ  角孔
１１ｄ  下端縁
１２    内支柱
１２ａ  深溝
１２ｂ  深溝底面
１２ｃ  空隙
２      スライド止め金具
２ａ    作用部
２ｂ    爪部
２ｃ    摘み部
２ｄ    突出部
２ｅ    凹部
３      中キャップ
３ａ    張出し部
４      短縮不能手段
５      アジャスター
６      上部支持部
Ａ      上壁
Ｂ      下壁
Ｃ      棚板
Ｅ      柔軟部材
【図１】
0003136124.tif 000003
【図２】
0003136124.tif 000004
【図３】
0003136124.tif 000005
【図４】
0003136124.tif 000006
【図５】
0003136124.tif 000007
【図６】
0003136124.tif 000008
【図７】
0003136124.tif 000009